(57)【要約】 【課題】リフィルコンテナの交換が簡単で、ステープル押さえ部材の変形の虞のないステープルカートリッジを提供する。 【解決手段】リフィルコンテナ51を収容するベースフレーム32は、上面と背面とが開放されていて背面開口部を通じてリフィルコンテナの交換が可能である。ベースフレームの後部に天板部40と左右の側板部39とからなる門形の押さえレバー33をヒンジ結合し、バネにより押さえレバーの先端部をベースフレームの内部底面方向へ付勢する。背面側からリフィルコンテナを装填すると、押さえレバーの側板部がリフィルコンテナの上面へ弾接してステープルシートSを押さえる。従来のようなカバー開閉操作が不要でリフィルコンテナの装填が一操作ですみ、コンテナ交換作業が極めて簡単である。また、門形断面の押さえレバーは強度が高く、長期間経過後もクリープ変形することがない。【選択図】図3
2008279583.tif 000002
【特許請求の範囲】
【請求項１】
電動ステープラに用いるステープルカートリッジであって、多数の直線ステープルを並列に接着したステープルシートを積重ねて収容したリフィルコンテナを装填して使用するリフィルコンテナ交換式のステープルカートリッジにおいて、
リフィルコンテナを収容するベースフレームは、上面と背面とが開放されていて、背面開口部を通じてリフィルコンテナの交換が可能な箱型形状であり、ベースフレームの後部に押さえレバーをヒンジ結合し、前記押さえレバーは天板部と左右の側板部とからなる門形部材であり、バネにより押さえレバーの先端部をステープルカートリッジの内部底面方向へ付勢し、ステープルカートリッジへリフィルコンテナを装填することにより、前記押さえレバーの側板部が、リフィルコンテナ内のステープルシートの上面、或いはステープルシートの上に載置されたトッププレートの上面へ弾接してステープルシートを押さえる構成としたことを特徴とするステープルカートリッジ。
【請求項２】
上記ステープルカートリッジに用いられるリフィルコンテナは、内部へ収容したステープルシートの上にトッププレートが載置され、トッププレートの両側面に設けたガイドピンがリフィルコンテナの側面部の縦溝を通じて外側へ突出しており、上記押さえレバーの側板部がトッププレートのガイドピンへ弾接してステープルシートを押さえる請求項１記載のステープルカートリッジ。
【請求項３】
上記押さえレバーの側面形状は、回動支点を中心とした扇形である請求項１記載のステープルカートリッジ。
【請求項４】
上記ベースフレームの側面に開口部を形成し、前記開口部を通じ指でリフィルコンテナの側面を掴んでリフィルコンテナを着脱できるようにした請求項１記載のステープルカートリッジ。
【発明の詳細な説明】
【技術分野】
【０００１】
この発明は、電動ステープラに用いられるステープルカートリッジに関するものであり、特に、ステープル押さえ機構を備えたステープルカートリッジに関するものである。
【背景技術】
【０００２】
複写機や綴じ処理機等に組み込まれる電動ステープラやスタンドアロン形電動ステープラ等は、ステープルの補充の便宜のためにカートリッジ着脱式になっており、ステープル補充の際は本体からステープルカートリッジを取外し、新しいステープルカートリッジに交換するか、またはステープルカートリッジへステープルシートを装填して電動ステープラへ再び装着するように構成されている（特許文献１，２，３等）。
【０００３】
ステープルシートの補充について、当初の電動ステープラはステープルカートリッジ全体を交換する形式のものが一般的であったが、近年はステープルシートを重ねて収容したリフィルコンテナをステープルカートリッジへ装填する構造として、リフィルコンテナのみを交換し、ステープルカートリッジは繰返して使用できるようにしたものが多くなっている（例えば、特許文献４，５等）。
【０００４】
図5、図6は、リフィルコンテナ交換式のステープルカートリッジの一例であり、図7はステープルカートリッジ1に装填されるリフィルコンテナ21である。図5及び図6に示すステープルカートリッジ1は、プラスチック製のベースフレーム2と上カバー3とによって構成されている。上カバー3はベースフレーム2の左右側板部4の後部下端に設けた軸5に連結されていて、図5のように、上カバー3を閉じたときは、上カバー3の前端部の左右両側に設けた外向きのフック6が、ベースフレーム2の左右側板部4の穴7に内面側から係合して閉鎖状態に固定される。
【０００５】
ステープルカートリッジ1の上カバー3の左右両側に取付けられているフック形レバー8は、上下中間部を支点として下側先端部が後方へ回動可能であり、図6中の圧縮コイルバネ9により図の前方初期位置へ付勢されている。ステープルカートリッジ1を電動ステープラへ装着したときに、フック型レバー8が電動ステープラの係合部に係合してステープルカートリッジ1が固定される。
【０００６】
ステープルカートリッジ1は、電動ステープラの配置姿勢によって、図5の正立姿勢で電動ステープラへ装着される場合や、図5とは上下を逆転した倒立姿勢で装着される場合があるが、いずれの場合も電動ステープラへ着脱する際は、上カバー3の後端に設けたハンドル部10を握って電動ステープラへの着脱操作を行う。
【０００７】
リフィルコンテナ21内のステープルシートを使い切ってリフィルコンテナ21を交換する場合は、上カバー3の左右両側面の前端部を二本の指で挟圧すると、フック6がベースフレーム2の左右両側面の穴7から外れ、そのまま上カバー3の前部を持上げれば、図6に示すように上カバー3が後方へ反転してベースフレーム2の上面が開放され、リフィルコンテナ21が露出する。上カバー3の下面（図6の開放状態においては上面）には押さえレバー11が取付けられていて、押さえレバー11は図6中の捩じりコイルバネ12により同図の立上がり姿勢に付勢されており、上カバー3を閉鎖したときは、押さえレバー11がリフィルコンテナ21の上面へ弾接してリフィルコンテナ21内のステープルシートを押さえる。
【０００８】
上カバー3を開放した後に、図8に示すように、リフィルコンテナ21の左右両側面の後部に設けられている取外し用の摘み部22を指で上へ引上げれば、リフィルコンテナ21の後端上部のヒンジ部23が弾性変形して摘み部22がヒンジ部23を支点として回動し、摘み部22と一体でリフィルコンテナ21の背面下端部に位置しているロックプレート24が前方（図8において左）へ回動する。これにより、ステープルカートリッジ1のベースフレーム2の後壁下端部に形成されている凸部13とロックプレート24の穴25との係合が解除され、リフィルコンテナ21の後部を持上げて、リフィルコンテナ21を後斜め上へ引抜くことができる。そして、新しい未使用のリフィルコンテナをステープルカートリッジ1へ挿入して上カバー3を閉鎖すればステープル補充完了となる。
【特許文献１】特開平9-193044号公報
【特許文献２】特開平11-99505号公報
【特許文献３】特開平11-235679号公報
【特許文献４】特開2004-237446号公報
【特許文献５】特開2006-116637号公報
【発明の開示】
【発明が解決しようとする課題】
【０００９】
従来のリフィルコンテナ交換式のステープルカートリッジは、リフィルコンテナを取出すまでに、上カバー開放操作とリフィルコンテナのロック解除の二つの操作を要して手順が多く、操作手順の知識のない者は戸惑うこともある。また、開閉式の上カバーに押さえ板や押さえアームを設けていて、筐体構造が複雑でコストがかかるという問題がある。また、常時ステープルシートへ強く押付けられている押さえアームが、長期間に亘る負荷によりクリープ変形して押さえ機能が劣化することもある。
【００１０】
そこで、よりシンプルな構造で小型軽量、且つリフィルコンテナの交換が簡単であり、ステープル押さえ部材の変形や機能劣化の虞のないステープルカートリッジを提供するために解決すべき技術的課題が生じてくるのであり、本発明は上記課題を解決することを目的とする。
【課題を解決するための手段】
【００１１】
この発明は、上記目的を達成するために提案するものであり、電動ステープラに用いるステープルカートリッジであって、多数の直線ステープルを並列に接着したステープルシートを積重ねて収容したリフィルコンテナを装填して使用するリフィルコンテナ交換式のステープルカートリッジにおいて、リフィルコンテナを収容するベースフレームは、上面と背面とが開放されていて、背面開口部を通じてリフィルコンテナの交換が可能な箱型形状であり、ベースフレームの後部に押さえレバーをヒンジ結合し、前記押さえレバーは天板部と左右の側板部とからなる門形部材であり、バネにより押さえレバーの先端部をステープルカートリッジの内部底面方向へ付勢し、ステープルカートリッジへリフィルコンテナを装填することにより、前記押さえレバーの側板部が、リフィルコンテナ内のステープルシートの上面、或いはステープルシートの上に載置されたトッププレートの上面へ弾接してステープルシートを押さえる構成としたことを特徴とするステープルカートリッジを提供するものである。
【００１２】
また、上記ステープルカートリッジに用いられるリフィルコンテナは、内部へ収容したステープルシートの上にトッププレートが載置され、トッププレートの両側面に設けたガイドピンがリフィルコンテナの側面部の縦溝を通じて外側へ突出しており、上記押さえレバーの側板部がトッププレートのガイドピンへ弾接してステープルシートを押さえるステープルカートリッジを提供するものである。
【００１３】
また、上記押さえレバーの側面形状は、回動支点を中心とした扇形であるステープルカートリッジを提供するものである。
【００１４】
また、上記ベースフレームの側面に開口部を形成し、前記開口部を通じ指でリフィルコンテナの側面を掴んでリフィルコンテナを着脱できるようにしたステープルカートリッジを提供するものである。
【発明の効果】
【００１５】
本発明のステープルカートリッジは、ベースフレームの背面側の開口からリフィルコンテナを挿入すると、ベースフレームにリフィルコンテナがセットされるとともに、ベースフレーム内の押さえレバーがリフィルコンテナ内のステープルシートを押さえ、リフィルコンテナの装填が一操作ですみ、従来のようなカバー開閉操作が不要でコンテナ交換作業が極めて簡単である。
【００１６】
また、開閉式カバーなどを備えていない簡単な構造であるので、小型軽量、且つコストも節減できる。また、押さえレバーを天板部と左右の側板部とからなる門形断面としたことにより、従来の板状アームに比較して強度が高く、押さえ部材のクリープ変形及び機能劣化の虞も殆どなくなる。
【発明を実施するための最良の形態】
【００１７】
リフィルコンテナ交換式のステープルカートリッジにおいて、リフィルコンテナを収容するベースフレームを、上面と背面とが開放されていて背面開口部を通じてリフィルコンテナの交換が可能な箱型形状とする。ベースフレームの後部に天板部と左右の側板部とからなる門形の押さえレバーをヒンジ結合し、バネにより押さえレバーの先端部をステープルカートリッジの内部底面方向へ付勢する。上記の構成により、ステープルカートリッジの背面側からリフィルコンテナを装填すると、押さえレバーの側板部がリフルコンテナの上面へ弾接してステープルシートが押さえられることになり、カバー開閉操作などが不要なシンプルな構造で小型軽量、且つリフィルコンテナの交換が簡単であり、押さえ部材のクリープ変形や機能劣化の虞もないステープルカートリッジを提供するという目的を達成した。
【実施例１】
【００１８】
図1はステープルカートリッジ31を示し、ステープルカートリッジ31はベースフレーム32と押さえレバー33とによって構成されている。ベースフレーム32は、上面と背面（図1において右）が開放され、且つ左右側面の一部に開口部34を形成した箱型の部材で、リフィルコンテナが収容される箱型の部分から前方へ高さが低いノーズ部35が突出しており、また、後端には上方へ立上がるハンドル部36が設けられている。ベースフレーム32の左右両側面の後端上部には軸受け穴37が形成されていて、この軸受け穴37に挿通したピン38によって押さえレバー33を支持している。
【００１９】
図2は、押さえレバー33を示し、扇形である左右の側板部39を天板部40で連結した形状のチャネル形部材である。左右の側板部39の後端部には左右へ貫通する軸受け穴41が形成されており、ベースフレーム32の軸受け穴37と押さえレバー33の軸受け穴41を合致させてピン38を挿通することによって、押さえレバー33がベースフレーム32に対して回動自在に支持される。
【００２０】
ピン38を挿通する際に、押さえレバー33の左右側板部39の間で捩じりコイルバネ42にピン38を通し、捩じりコイルバネ42の一端を押さえレバー33の上面へ掛け、他端をベースフレーム32のハンドル部36へ弾接させることにより、押さえレバー33はその先端が下方へ移動する方向へ付勢される。
【００２１】
図3において、51はリフィルコンテナである。リフィルコンテナ51は、上面が開放された箱型容器であり、多数の平板状ステープルシートSが積層されていて、ステープルシートSの上面にトッププレート52が載せられている。リフィルコンテナ51の左右の側面には縦方向の溝53が形成されていて、押さえプレート52の左右側面に形成した水平方向のガイドピン54が、リフィルコンテナ21の溝53から外側へ突出している。
【００２２】
ステープルカートリッジ31に備えられている押さえレバー33の左右側板部39の内面間隔は、リフィルコンテナ51の横幅よりもやや広くなっていて、ステープルカートリッジ31の背面の開口を通じてステープルカートリッジ31内へリフィルコンテナ51を挿入すると、トッププレート52のガイドピン54が押さえレバー33の左右の側板部39の下面に接し、側板部39の下面は初期状態で前下がりの斜面であることから、リフィルコンテナ51の挿入に伴い、押さえレバー33はピン38を支点として上方へ押し上げられる。
【００２３】
図4はステープルカートリッジ31へリフィルコンテナ51を装填した状態を示し、リフィルコンテナ51のトッププレート52は押さえレバー33により下方へ押されている。ステープルカートリッジ31を装填した電動ステープラ（図示せず）が作動すると、リフィルコンテナ51内のステープルシートＳは、電動ステープラのステープル送り爪によってベースフレーム32の前端へ向けて送られ、電動ステープラのフォーミングプレートとドライバとがベースフレーム32のノーズ部35の前端近傍を上下に通過し、ステープルのフォーミング並びに射出が行われる。
【００２４】
電動ステープラによりステープルが射出されてステープルシートが消費されるにつれて、ステープルカートリッジ31の押さえレバー33と、リフィルコンテナ51のトッププレート52は下降する。リフィルコンテナ51内のステープルシートSを使い切ってリフィルコンテナ51を交換する際は、ステープルカートリッジ31の左右側面の開口部34を通じてリフィルコンテナ51を指で掴み、後部をやや上へ引上げて後方へ引っ張れば、リフィルコンテナ51がステープルカートリッジ31のベースフレーム32から外れて、一操作でステープルカートリッジ31からリフィルコンテナ51を取出すことができる。
【００２５】
ステープルカートリッジ31に対するリフィルコンテナ51のロック機構については、プラスチック部品であるリフィルコンテナ51とステープルカートリッジ31との可撓性を利用した爪と凹部とによる嵌合機構、或いは、従来例として示した図8のように、リフィルコンテナ21に備えたロックプレート24の穴25とカートリッジ1側の凸部13とによるロック機構などのいずれでもよく、特に限定するものではない。
【００２６】
尚、この発明は上記の実施形態に限定するものではなく、この発明の技術的範囲内において種々の改変が可能であり、この発明がそれらの改変されたものに及ぶことは当然である。
【図面の簡単な説明】
【００２７】
【図１】本発明の実施の一形態を示し、ステープルカートリッジの側面図。
【図２】ステープルカートリッジの押さえレバーの斜視図。
【図３】ステープルカートリッジとリフィルコンテナの側面図。
【図４】リフィルコンテナを装填したステープルカートリッジの側面図。
【図５】従来例を示し、ステープルカートリッジの斜視図。
【図６】従来例を示し、ステープルカートリッジの上カバー開放状態を示す斜視図。
【図７】リフィルコンテナの側面図。
【図８】リフィルコンテナのロック機構を示す断面図。
【符号の説明】
【００２８】
31     ステープルカートリッジ
32     ベースフレーム
33     押さえレバー
34     開口部
35     ノーズ部
36     ハンドル部
38     ピン
39     側板部
40     天板部
42     捩じりコイルバネ
51     リフィルコンテナ
52     トッププレート
53     溝
54     ガイドピン
【図１】
2008279583.tif 000003
【図２】
2008279583.tif 000004
【図３】
2008279583.tif 000005
【図４】
2008279583.tif 000006
【図５】
2008279583.tif 000007
【図６】
2008279583.tif 000008
【図７】
2008279583.tif 000009
【図８】
2008279583.tif 000010